(57)【要約】【課題】構造の簡略化を図りながらも、収納空間内の空気を効果的に循環させ得る収納構造及びこれに用いられる送風装置を提供する。【解決手段】前方に開口する収納空間２内を送風する送風装置１を設け、該収納空間の前方開口を開閉する戸体９を設けた収納構造であって、前記収納空間を区画する仕切板７を、その前端と閉鎖状態の前記戸体の背面との間に空気流通空間３を形成するように設け、前記送風装置の長手方向両端側の吸込口１２及び吹出口１３を、前記収納空間の奥行方向における前記仕切板の前端と閉鎖状態の前記戸体の背面との間において前記奥行方向に直交する方向に向けて開口するように設けている。【選択図】図１
2015085164.tif 000002
【特許請求の範囲】
【請求項１】
前方に開口する収納空間内を送風する送風装置を設け、該収納空間の前方開口を開閉する戸体を設けた収納構造であって、
前記収納空間を区画する仕切板を、その前端と閉鎖状態の前記戸体の背面との間に空気流通空間を形成するように設け、前記送風装置の長手方向両端側の吸込口及び吹出口を、前記収納空間の奥行方向における前記仕切板の前端と閉鎖状態の前記戸体の背面との間において前記奥行方向に直交する方向に向けて開口するように設けていることを特徴とする収納構造。
【請求項２】
請求項１において、
前記送風装置は、前記収納空間の内面に沿って取り付けられた長尺筒状とされていることを特徴とする収納構造。
【請求項３】
請求項１または２において、
前記送風装置を、長手方向を上下方向に沿わせて設けていることを特徴とする収納構造。
【請求項４】
請求項３において、
前記送風装置の前記吹出口を、当該吹出口から吹出された空気が前記収納空間の天面に直接的に吹き付けられないように、前記天面との間に所定の空間を隔てて上端側に設けていることを特徴とする収納構造。
【請求項５】
請求項１または２において、
前記送風装置を、長手方向を収納間口方向に沿わせて前記収納空間の底面に沿わせるように設けていることを特徴とする収納構造。
【請求項６】
請求項１または２において、
前記送風装置を、長手方向を収納間口方向に沿わせて前記収納空間の天面に沿わせるように設けていることを特徴とする収納構造。
【請求項７】
請求項１乃至６のいずれか１項において、
前記収納空間内に、該収納空間の奥行方向に延び該奥行方向にスライド自在とされた棒状の吊下部材を設けていることを特徴とする収納構造。
【請求項８】
請求項１乃至７のいずれか１項に記載の収納構造に用いられる送風装置。
【発明の詳細な説明】
【技術分野】
【０００１】
本発明は、収納空間内を送風する送風装置を設けた収納構造及びこれに用いられる送風装置に関する。
【背景技術】
【０００２】
従来より、収納空間内を除菌や脱臭等する装置を設けた収納庫が知られている。
例えば、下記特許文献１では、収納庫の内側端に、上下端に延設する通気ダクトを設け、この通気ダクト内の中部にファン等を有した脱臭装置を配設した脱臭機能付収納庫が提案されている。この脱臭機能付収納庫は、複数の棚板によって上下に区画された区画部位において開口させるように、通気ダクトの側壁に複数の吹き出し口及び吸い込み口を設けた構造とされている。
【先行技術文献】
【特許文献】
【０００３】
【特許文献１】特開平５−１４６３２９号公報
【発明の概要】
【発明が解決しようとする課題】
【０００４】
しかしながら、上記特許文献１に記載された収納庫では、上下に複数に区画された区画部位において開口させるように複数の吹き出し口及び吸い込み口を設けた構造とされており、更なる改善が望まれる。また、棚板に載置された収納物によって吹き出し口や吸い込み口が覆われ易くなるというようなことも考えられる。
【０００５】
本発明は、上記実情に鑑みてなされたものであり、構造の簡略化を図りながらも、収納空間内の空気を効果的に循環させ得る収納構造及びこれに用いられる送風装置を提供することを目的としている。
【課題を解決するための手段】
【０００６】
上記目的を達成するために、本発明に係る収納構造は、前方に開口する収納空間内を送風する送風装置を設け、該収納空間の前方開口を開閉する戸体を設けた収納構造であって、前記収納空間を区画する仕切板を、その前端と閉鎖状態の前記戸体の背面との間に空気流通空間を形成するように設け、前記送風装置の長手方向両端側の吸込口及び吹出口を、前記収納空間の奥行方向における前記仕切板の前端と閉鎖状態の前記戸体の背面との間において前記奥行方向に直交する方向に向けて開口するように設けていることを特徴とする。
【０００７】
本発明においては、前記送風装置を、前記収納空間の内面に沿って取り付けられた長尺筒状としてもよい。
また、本発明においては、前記送風装置を、長手方向を上下方向に沿わせて設けてもよい。
また、本発明においては、前記送風装置の前記吹出口を、当該吹出口から吹出された空気が前記収納空間の天面に直接的に吹き付けられないように、前記天面との間に所定の空間を隔てて上端側に設けてもよい。
また、本発明においては、前記送風装置を、長手方向を収納間口方向に沿わせて前記収納空間の底面に沿わせるように設けてもよい。
また、本発明においては、前記送風装置を、長手方向を収納間口方向に沿わせて前記収納空間の天面に沿わせるように設けてもよい。
また、本発明においては、前記収納空間内に、該収納空間の奥行方向に延び該奥行方向にスライド自在とされた棒状の吊下部材を設けてもよい。
【０００８】
また、上記目的を達成するために、本発明に係る送風装置は、上記いずれかの本発明に係る収納構造に用いられるものである。
【発明の効果】
【０００９】
本発明に係る収納構造及びこれに用いられる送風装置は、上述のような構成としたことで、構造の簡略化を図りながらも、収納空間内の空気を効果的に循環させることができる。
【図面の簡単な説明】
【００１０】
【図１】（ａ）、（ｂ）は、いずれも本発明の一実施形態に係る収納構造の一例に用いられる本実施形態に係る送風装置の一例を模式的に示し、（ａ）は、図２におけるＸ１−Ｘ１線矢視に対応させた一部破断概略縦断面図、（ｂ）は、（ａ）におけるＸ２−Ｘ２線矢視に対応させた一部破断概略縦断面図である。
【図２】同収納構造の一例を模式的に示す概略正面図である。
【図３】（ａ）、（ｂ）は、いずれも同送風装置の一部破断概略斜視図である。
【図４】（ａ）は、図１（ａ）におけるＹ１−Ｙ１線矢視に対応させた概略横断面図、（ｂ）は、図１（ａ）におけるＹ２−Ｙ２線矢視に対応させた概略横断面図である。
【図５】同送風装置の概略分解斜視図である。
【図６】（ａ）は、同送風装置が備える第１通気ユニットの一例を模式的に示す一部省略概略分解斜視図、（ｂ）は、同送風装置が備える第２通気ユニットの一例を模式的に示す一部省略概略分解斜視図である。
【図７】本発明の他の実施形態に係る収納構造の一例を模式的に示す一部省略概略斜視図である。
【図８】本発明の更に他の実施形態に係る収納構造の一例を模式的に示す一部省略概略斜視図である。
【発明を実施するための形態】
【００１１】
以下に本発明の実施の形態について、図面に基づいて説明する。
図１〜図６は、第１実施形態に係る収納構造の一例及びこれに用いられる本実施形態に係る送風装置の一例を模式的に示す図である。
なお、一部の図では、他図に付している詳細な符号の一部を省略している。
また、図１（ａ）では、本実施形態に係る送風装置を組み込んだ収納構造の戸体を閉鎖させた状態として図示し、図２では、該戸体を開放させた状態として図示している。また、図１（ｂ）では、該送風装置に設けられた各機器やフィルター等を破断せずに図示している。また、図７及び図８では、戸体等の図示を省略している。
また、以下の各実施形態では、該収納構造の収納空間に対面した状態を基準として、手前側を前方、その逆側を後方とし、また、その状態を基準として、上下方向及び左右方向等の方向を説明する。
【００１２】
本実施形態に係る収納構造に用いられる本実施形態に係る送風装置１は、図１〜図３に示すように、長手方向両端側に吸込口１２及び吹出口１３を設けた構成とされている。また、送風装置１は、吸込口１２から吸い込んだ空気を吹出口１３に向けて送風する送風器３１を備えている。このような構成とすれば、吸込口１２から吸い込んだ空気を吹出口１３から吹き出すことで、当該送風装置１が設置された空間の空気を撹拌させることができる。
本実施形態では、この送風装置１を、図１及び図２に示すように、一方向（前方）に開口する収納空間２の前方開口を開閉する戸体９を設けた収納構造に組み込んだ例を示しており、この収納空間２内を送風する構成としている。また、本実施形態では、図２に示すように、収納空間２に、コートや上着等の衣類や、靴等の履物や小物、ブーツ等の長尺物品等の収納を可能とし、玄関土間や玄関フロアー等に好適に設けられる玄関収納構造とした例を示している。
【００１３】
収納空間２は、図１（ａ）及び図２に示すように、収納空間２の内面を構成する天面４、底面４Ａ、左右の内側面４Ｂ，４Ｂ及び奥側面５によって区画されている。これら天面４、底面４Ａ、左右の内側面４Ｂ，４Ｂ及び奥側面５は、住居等の建物内の天井面や床面（玄関土間）、壁面等によって構成されたものとしてもよい。つまり、収納構造を、建物内に設けられた収納室（クローゼット）に適用するようにしてもよい。または、これら天面４、底面４Ａ、左右の内側面４Ｂ，４Ｂ及び奥側面５のうちのいずれかを、板材によって構成する態様としてもよい。例えば、天面４、底面４Ａ及び奥側面５を、それぞれ天井面、床面（玄関土間）及び壁面とし、左右の内側面４Ｂ，４Ｂの両方または一方を、縦仕切板（側板）等によって構成する態様等としてもよい。さらには、このような態様に代えて、天板、底板（地板）、左右の側板及び背板を備えた略箱形状とされた収納箱体の内面を、収納空間２を区画する天面４、底面４Ａ、左右の内側面４Ｂ，４Ｂ及び奥側面５として把握するようにしてもよい。
【００１４】
戸体９は、本実施形態では、蝶番等の回動連結部材によって回動自在に支持された開き戸９とされている。また、本実施形態では、互いに同様の構成とされた二枚の開き戸９，９によって収納空間２の前方開口を開閉する両開き（観音開き）とした例を示している。これら開き戸９，９は、それぞれの一側端部が左右の内側面４Ｂ，４Ｂの前方側部位に、回動連結部材を介して回動自在に連結されている。また、これら開き戸９，９は、閉鎖状態で互いの他側端部同士が近接または当接する構成とされている。
なお、これら開き戸９，９のうちの一方の開き戸９の他側端部に、他方の開き戸９の他側端部の戸当りとなる戸当り部を設けるようにしてもよい。また、収納空間２の天面４や底面４Ａ等に、これら開き戸９，９の他側端部が当接する戸当り部を設けるようにしてもよい。
【００１５】
また、収納空間２の前方開口を開閉する開き戸９，９としては、両開きに限られず、一枚の開き戸９によって開閉する片開きとしてもよい。さらには、収納空間２の前方開口を開閉する戸体としては、このような回動連結部材を介して回動自在とされた開き戸９に限られない。例えば、戸体９を、引き違い状にスライド自在とされた複数枚の引戸としたり、複数枚の戸板を折り畳み展開自在に連結した折戸としたりしてもよい。なお、戸体９を、引戸とした場合には、後記する戸体９の閉鎖状態の背面は、開放状態の背面と収納空間２の奥行方向において同一平面状となり、また、引き違い状に複数の戸体９を設けた場合には、奥側の戸体９の背面として把握するようにしてもよい。また、上記のように、収納構造を、建物内に設けられた収納室（クローゼット）に適用した場合には、戸体９が建て付けられる戸枠等を適宜、設けるようにしてもよい。
【００１６】
また、収納空間２には、図２に示すように、この収納空間２を区画する仕切板７が設けられている。
本実施形態では、この仕切板７を、図１（ａ）に示すように、その前端と閉鎖状態の開き戸９，９の背面との間に空気流通空間を形成するように設けた構造としている。また、送風装置１の長手方向両端側の吸込口１２及び吹出口１３を、収納空間２の奥行方向（前後方向）における仕切板７の前端と閉鎖状態の開き戸９，９の背面との間において奥行方向に直交する方向に向けて開口するように設けた構造としている。
このような収納構造とすれば、送風装置１の長手方向両端側に吸込口１２及び吹出口１３を設けた簡易な構造でありながらも、収納空間２内の空気を効果的に循環させることができる。つまり、送風装置１の吹出口１３から収納空間２の上記空気流通空間を含む前方開口側の領域（前方開口側領域）３に吹出された空気が前方開口側領域３において吸込口１２から吸い込まれることとなる。これにより、吹出口１３から吹出された気流及び吸込口１２に向かう気流が収納物等によって遮られ難くなり、収納空間２の前方開口側領域３を効果的に循環させることができる。
【００１７】
この仕切板７の前端から閉鎖状態の開き戸９，９の背面までの前後方向に沿う寸法は、送風装置１による気流が収納空間２の前方開口側領域３をスムーズに循環するように、また、送風装置１の設置態様等に応じて適宜、設定するようにしてもよい。この仕切板７の前端から閉鎖状態の開き戸９，９の背面までの前後方向に沿う寸法（収納空間２の前方開口側領域３の前後寸法）が小さ過ぎれば、送風装置１による気流が収納空間２の前方開口側領域３をスムーズに循環し難くなる傾向がある。一方、この収納空間２の前方開口側領域３の前後寸法が大き過ぎれば、収納空間２内における収納効率が低下する傾向がある。
上記のような種々の観点等から、例えば、この収納空間２の前方開口側領域３の前後寸法を、３０ｍｍ〜３００ｍｍ程度としてもよい。
【００１８】
また、本実施形態では、送風装置１を、収納空間２の内面４Ｂに沿って取り付けられた長尺筒状としている。このような構成とすれば、例えば、埋め込み状に送風装置を設けた構造と比べて構造の簡略化をより図ることができ、また、送風装置１のメンテナンス性等を向上させることができる。
また、本実施形態では、送風装置１を、長手方向を上下方向に沿わせて設けている。このような構成とすれば、収納空間２内の空気を上下に撹拌させるように効果的に循環させることができる。これにより、後記するように、送風装置１を、脱臭機能や除菌機能を有したものとすれば、収納空間２の前方開口側領域３の下方側領域や上方側領域において滞留する空気を循環させることができ、効果的に脱臭・除菌することができる。
【００１９】
つまり、本実施形態では、長尺筒状とされた送風装置１を、長手方向を上下方向に沿わせて収納空間２の左右を区画する一方の内側面４Ｂに沿って設けた構造としている。また、収納空間２の奥行方向に直交する方向となる他方の内側面４Ｂに向けて送風装置１の吸込口１２及び吹出口１３を開口させた構造としている。これら吸込口１２及び吹出口１３は、互いに上下に離間して設けられ、一方が収納空間２の上下方向一方側において開口するように、他方が収納空間２の上下方向他方側において開口するように設けられている。これら吸込口１２及び吹出口１３を、収納空間２の天面４及び底面４Ａのそれぞれから上下方向における四半程度の領域内において開口するように設けるようにしてもよい。
また、本実施形態では、図１（ａ）に示すように、長尺筒状とされた送風装置１を、その全体が収納空間２の前方開口側領域３に位置するように、一方の内側面４Ｂに沿って設けた構造としている。
【００２０】
また、本実施形態では、送風装置１の吹出口１３を、当該吹出口１３から吹出された空気が収納空間２の天面４に直接的に吹き付けられないように、天面４との間に所定の空間を隔てて上端側に設けている。このような構成とすれば、吹出口１３から吹出された空気が収納空間２内の天面４に直接的に吹き付けられるようなことを抑制することができる。これにより、吹出口１３から吹出された空気を収納空間２内に効果的に拡散させ、循環させることができる。
【００２１】
この送風装置１の吹出口１３から収納空間２の天面４までの上下方向に沿う寸法は、送風装置１の吹出口１３の裏面側の内部構造や、収納空間２の収納間口寸法等に応じて適宜、設定するようにしてもよい。この吹出口１３から天面４までの上下方向に沿う寸法が小さ過ぎれば、吹出口１３から吹出された空気の大部分が他方の内側面４Ｂに至る前に天面４に直接的に吹き付けられて天面４に沿って他方の内側面４Ｂ側に向かう気流となる傾向がある。一方、吹出口１３から天面４までの上下方向に沿う寸法が大き過ぎれば、吹出口１３からの気流が前方開口側領域３の上方側領域に行き渡り難くなる傾向がある。
このような種々の観点等から、例えば、この送風装置１の吹出口１３から収納空間２の天面４までの上下方向に沿う寸法を、１００ｍｍ〜５００ｍｍ程度としてもよい。なお、送風装置１の吸込口１２から収納空間２の底面４Ａまでの上下方向に沿う寸法についても上記同様の観点や、吸込口１２の裏面側に設けられる後記するフィルター部２１の構成等に応じて、上記寸法と同程度としてもよい。
【００２２】
また、本実施形態では、収納空間２内に、収納空間２の奥行方向に延び奥行方向にスライド自在とされた棒状の吊下部材８を設けている。このような構成とすれば、この吊下部材８に、コートや上着等の衣類を掛けたハンガー等の吊下具を吊下げることができる。また、吊下部材８が奥行方向に延び奥行方向にスライド自在とされているので、この吊下部材８を前方側に引き出すことで、衣類の掛け外し等を容易に行うことができ、また、吊下げられた衣類を、収納空間２の前方開口側領域３に位置させることができる。これにより、送風装置１からの気流を衣類に効果的に接触させることができ、後記するように、送風装置１を、脱臭機能や除菌機能を有したものとすれば、衣類を効果的に脱臭・除菌することができる。また、衣類を前後方向に向いた状態で掛けることができるので、例えば、吊下部材を収納間口方向（左右方向）に延びるように設けた構造と比べて、送風装置１の気流が衣類によって遮られ難く、収納空間２の前方開口側領域３を効果的に循環させることができる。
【００２３】
また、本実施形態では、収納空間２を上下に区画する厚さ方向を上下方向に沿わせた複数の棚板（横仕切板）７を、仕切板として設けている。また、本実施形態では、収納空間２の左右方向一方側空間及び他方側空間にそれぞれ複数の棚板７を設けた例を示している。図例では、これら左右方向一方側空間及び他方側空間の左右寸法（収納間口方向に沿う寸法）を互いに同寸法とした例を示している。
また、図例では、収納空間２の左右方向一方側空間の下方側領域を、比較的に上下に大きな収納スペースとし、ハンガー等に掛けたコートや上着等の複数枚の衣類を前後方向に並べて収納可能とした衣類収納スペースとしている。この衣類収納スペースの天面側を区画する棚板７の下方側に、上記した吊下部材８を設けた構造としている。
【００２４】
この吊下部材８は、図１（ａ）及び図２に示すように、棚板７の左右方向略中央の下面に固定された支持部材に対して前後方向にスライド自在に支持されている。このような吊下部材８としては、スライドハンガーレール等を採用するようにしてもよい。
なお、この吊下部材８は、支持部材を介して棚板７に支持されたものに限られず、収納空間２の天面４や、内側面４Ｂ、奥側面５等に適宜の支持部材を介して支持されたものとしてもよい。
また、図例では、収納空間２の左右方向他方側空間を、一方側空間よりも上下に細かく区画された小分けスペースとし、最下段に長尺物品収納スペースを設けた例を示している。また、この長尺物品収納スペースの天面側を区画する棚板７の下方側に、収納間口方向に延び、ブーツハンガー等のブーツ支持具が引っ掛けられる棒状の吊下部材８Ａを設けた例を示している。なお、長尺物品収納スペースとしては、傘等の収納が可能とされたものとしてもよい。
【００２５】
また、各棚板７は、上下の配設位置の変更が可能とされたものとしてもよい。図例では、各棚板７の左右方向両端部を、収納空間２の内側面４Ｂ，４Ｂや縦仕切板等によって支持させた態様とせずに、上下に長尺とされた柱状（棒状）部材６，６にブラケット等の支持具を介して支持させた態様としている。このような構成とすれば、収納空間２を、左右方向に複数に区分することを可能としながらも、例えば、縦仕切板によって支持させたものと比べて、各棚板７によって上下に区画された各収納スペースに、送風装置１による気流を行き渡らせ易くすることができる。
【００２６】
図例では、３本の柱状部材６，６，６を、それぞれ収納空間２の奥側面５に沿わせて設けた例を示している。なお、このように、棚板７の後端側を左右の柱状部材６，６によって支持させた態様に限られず、棚板７の前後方向途中部位や複数個所を、左右の柱状部材６，６によって支持させた態様としてもよい。さらには、このような左右の柱状部材６，６によって支持させた態様に代えて、各棚板７を、収納空間２の内側面４Ｂ，４Ｂや縦仕切板等によって支持させた態様としてもよい。
また、複数枚の棚板７のうちの少なくとも一枚（または全て）を、例えば、厚さ方向（上下方向）に貫通する多数の孔を設けた多孔状とされたものとしてもよい。
【００２７】
送風装置１は、図１（ｂ）及び図５に示すように、少なくとも長手方向一方端が開口し、一側面部１１の一方端側に吸込口１２及び吹出口１３のうちの一方を構成する第１通気口としての吸込口１２を設けた筒状ダクト１０を備えている。また、送風装置１は、筒状ダクト１０の長手方向一方端の開口１０ａから差し込まれて吸込口１２の裏面側に位置するように取り付けられ、吸込口１２と筒状ダクト１０内の送風路１９とを連通させる第１通気ユニットとしての吸込ユニット２０を備えている。また、送風装置１は、一方端の開口１０ａを覆う第１蓋部２９を備えている。このような構成とすれば、吸込口１２及び吹出口１３のうちの少なくとも一方の周囲の表面側の見栄えを向上させることができる。つまり、吸込口１２及び吹出口１３のうちの一方を構成する第１通気口としての吸込口１２の周囲に継目等が形成されることがなく、筒状ダクト１０の一側面部１１の吸込口１２の周囲の見栄えを向上させることができる。
【００２８】
また、本実施形態では、吸込ユニット２０を、吸込口１２の裏面側に沿うように配されるフィルター部２１を有したものとしている。このような構成とすれば、フィルター部２１を別途に筒状ダクト１０内に組み付ける構成とした場合と比べて、筒状ダクト１０に対して容易に組み付けることができる。
また、本実施形態では、このフィルター部２１を、筒状ダクト１０に対して着脱自在としている。このような構成とすれば、吸込ユニット２０を構成するフィルター部２１のメンテナンス性を向上させることができる。なお、吸込ユニット２０の具体的構成の一例については後述する。
【００２９】
また、本実施形態では、図１（ｂ）及び図５に示すように、筒状ダクト１０を、長手方向両端が開口されたものとし、一側面部１１の他方端側に吸込口１２及び吹出口１３のうちの他方を構成する第２通気口としての吹出口１３を設けた構成としている。また、送風装置１に、筒状ダクト１０の他方端の開口１０ｂから差し込まれて吹出口１３の裏面側に位置するように取り付けられ、吹出口１３と筒状ダクト１０内の送風路１９とを連通させる第２通気ユニットとしての吹出ユニット３０を設けた構成としている。また、送風装置１に、他方端の開口１０ｂを覆う第２蓋部３９を設けた構成としている。このような構成とすれば、吸込口１２及び吹出口１３のうちの他方を構成する第２通気口としての吹出口１３の周囲に継目等が形成されることがなく、筒状ダクト１０の一側面部１１の吹出口１３の周囲の見栄えを向上させることができる。つまり、本実施形態では、筒状ダクト１０の両端側に設けられた吸込口１２及び吹出口１３の周囲に継目等が形成されず、これらの周囲の表面側の見栄えを向上させることができる。
【００３０】
また、本実施形態では、第１通気ユニット及び第２通気ユニットの一方としての吹出ユニット３０に、送風器３１を設けている。このような構成とすれば、例えば、送風器３１を別途に筒状ダクト１０内に組み付ける構成とした場合と比べて、筒状ダクト１０に対して容易に組み付けることができる。なお、吹出ユニット３０の具体的構成の一例については後述する。
【００３１】
また、本実施形態では、筒状ダクト１０の長手方向他方端側を、吹出口１３及びこの吹出口１３に向かう送風路１９から隔離するように筒状ダクト１０内に隔離部３４，３５を設けた構成としている。また、筒状ダクト１０内における隔離部３４，３５よりも他方端側に、送風器３１に接続される電源部３３を設けた構成としている。このような構成とすれば、筒状ダクト１０の他方端の開口１０ｂを介して電源部３３を組み付けることができ、例えば、電源部３３を筒状ダクト１０の途中部位等に組み込むようなものと比べて、組付性を向上させることができる。また、この電源部３３は、隔離部３４，３５によって隔離されて他方端側に設けられているので、当該電源部３３が吹出口１３に向かう気流の圧力損失要因となるようなことがなく、例えば、電源部３３を筒状ダクト１０の途中部位等に組み込んだものと比べて、送風効率を向上させることができる。
【００３２】
また、本実施形態では、送風器３１を、吹出口１３に隣接させるように設けている。このような構成とすれば、例えば、送風器３１を筒状ダクト１０の途中部位や、吸込口１２の近傍に設けたようなものと比べて、電源部３３と送風器３１とを接続するコードを短くすることができ、コードの引き回し性を向上させることができる。また、このようなコードを筒状ダクト１０の送風路１９内に配線することも考えられるが、このようなものと比べて、筒状ダクト１０の送風路１９内における配線による圧力損失等の発生を抑制することができる。
【００３３】
また、本実施形態では、筒状ダクト１０を、長尺筒状に押出成形されたものとしている。このような構成とすれば、設置スペース（本実施形態では、収納空間２）の寸法（本実施形態では、上下寸法）等に応じて切断等によって寸法調整することで種々の設置スペースに容易に適用することができ、汎用性を向上させることができる。
【００３４】
また、本実施形態では、筒状ダクト１０の吸込口１２が設けられた側の長手方向一端面から吸込口１２までの長手方向に沿う寸法よりも、筒状ダクト１０の吹出口１３が設けられた側の長手方向他端面から吹出口１３までの長手方向に沿う寸法を大きい寸法としている。このような構成とすれば、例えば、筒状ダクト１０の長手方向を上下方向に沿わせ、吸込み側を下端側に配し、吹出し側を上端側に配して設置する設置態様とした場合に、吹出口１３から吹出された空気が、収納空間２内の天面４に直接的に吹き付けられるようなことを抑制することができる。これにより、吹出口１３から吹出された空気を収納空間２内に効果的に拡散させ、循環させることができる。また、筒状ダクト１０が長尺筒状に押出成形されているので、設置スペース（収納空間２）の上下寸法等に応じて切断等によって寸法調整し、吸込口１２及び吹出口１３を適宜の位置に形成することができ、種々の設置スペースに容易に適用することができる。
【００３５】
この筒状ダクト１０の一端面から吸込口１２までの寸法と筒状ダクト１０の他端面から吹出口１３までの寸法との寸法比は、当該送風装置１の長さ寸法や当該送風装置１の設置スペースの寸法、筒状ダクト１０の収容機器等に応じて、適宜、設定するようにしてもよい。例えば、筒状ダクト１０の他端面から吹出口１３までの寸法を、筒状ダクト１０の一端面から吸込口１２まで寸法の１．５倍〜５倍程度としてもよい。
【００３６】
筒状ダクト１０は、本実施形態では、図３〜図５に示すように、略四角筒状とされており、その一側面部（図例では、収納空間２の他方の内側面４Ｂ側に向く面部）１１の長手方向両端側に、吸込口１２及び吹出口１３を設けた構成とされている。この筒状ダクト１０の内部空間が吸込口１２と吹出口１３とを連通させる送風路１９を構成し、送風器３１は、この送風路１９内を送風するように設けられている。
これら吸込口１２及び吹出口１３は、略薄板状とされた筒状ダクト１０の一側面部１１を厚さ方向に貫通させて設けられている。これら吸込口１２及び吹出口１３は、筒状ダクト１０の一側面部１１を、打ち抜きや切削等することで形成されている。
【００３７】
また、本実施形態では、開口方向に見た状態における吸込口１２の開口面積よりも、開口方向に見た状態における吹出口１３の開口面積を小さい面積としている。このような構成とすれば、吹出口１３から吹出される空気の流速を比較的に大きくすることができる。図例では、これら吸込口１２及び吹出口１３の一側面部１１の幅方向（短手方向）に沿う寸法を互いに同寸法とし、吸込口１２の一側面部１１の長手方向に沿う寸法を、吹出口１３の一側面部１１の長手方向に沿う寸法よりも大きくした例を示している。なお、このような態様に代えて、吸込口１２及び吹出口１３の開口面積を互いに同面積等としてもよい。
【００３８】
また、本実施形態では、これら吸込口１２及び吹出口１３を、一側面部１１の幅方向に細長い複数の桟状部を一側面部１１の長手方向に沿って間隔を空けて設けたガラリ状の構成としている。換言すれば、これら吸込口１２及び吹出口１３を、複数のスリット状開口からなるものとしている。これら複数のスリット状開口は、一側面部１１を、打ち抜きや切削等することで形成されている。つまりは、複数の桟状部は、一側面部１１に一体的に形成されている。このような構成とすれば、吸込口１２及び吹出口１３やこれらの周囲の表面側の見栄えの向上が可能でありながらも、筒状ダクト１０内への異物等の侵入を抑制することができる。なお、このような態様に代えて、これら吸込口１２及び吹出口１３を、単一の開口からなるものとしてもよい。この場合は、後記する各ユニット２０，３０に、桟状部を設けたような構成としてもよい。
【００３９】
また、本実施形態では、図１（ｂ）、図３（ｂ）及び図４に示すように、この筒状ダクト１０の取付対象としての収納空間２の一方の内側面４Ｂに向く側に、一方の内側面４Ｂ側に向けて開口し長手方向に延びる配線用凹溝１５を全長に亘って設けている。このような構成とすれば、筒状ダクト１０の配線用凹溝１５に、送風器３１等の電源部３３への商用電源からの電源コード（ケーブル）等を配線することができる。また、筒状ダクト１０の取付対象側を一方の内側面４Ｂに沿わせて取り付けた状態では、配線用凹溝１５及びこの配線用凹溝１５に配線された電源コード等が露出し難くなり、見栄え良く配線することができる。また、配線が露出しないように筒状ダクト１０内に配線することも考えられるが、このようなものと比べて、筒状ダクト１０の送風路１９内における配線による圧力損失等の発生を抑制することができる。また、本実施形態では、筒状ダクト１０を、長尺筒状に押出成形されたものとしているので、このような配線用凹溝１５を全長に亘って容易かつ効率的に設けることができる。
【００４０】
本実施形態では、この配線用凹溝１５を、吸込口１２及び吹出口１３を設けた一側面部１１に略平行状とされ、一方の内側面４Ｂ側に向く面部となる他側面部１４側に設けており、他側面部１４自体の形状を凹溝形状として配線用凹溝１５を設けた構成としている。なお、このような態様に代えて、一側面部１１に隣接する側面部側に配線用凹溝１５を設けたような態様としたり、該側面部を構成する板部の厚さ内に配線用凹溝１５を設けたような態様としたりしてもよい。
また、配線用凹溝１５を、他側面部１４の短手方向（幅方向）略中央部位に設けた例を示しており、他側面部１４の配線用凹溝１５の溝幅方向両側に、取付対象としての一方の内側面４Ｂに当接される部位を設けた例を示している。
【００４１】
また、この他側面部１４の長手方向両端部に、当該送風装置１を取付対象（一方の内側面４Ｂ）に取り付けるための取付部１４ａ，１４ｂを設けた構成としている。図例では、他側面部１４の長手方向両端部を、他の面部よりも長手方向外方側に延出させたような突片状の形状とし、当該部位を、取付部１４ａ，１４ｂとしている（図１（ｂ）及び図３（ｂ）参照）。これら長手方向両端側の取付部１４ａ，１４ｂには、当該送風装置１を取付対象に固定するためのねじや釘等の止具の挿通孔が設けられている。なお、送風装置１（筒状ダクト１０）を取付対象に取り付けるための取付部１４ａ，１４ｂとしては、このような構成に限られず、その他、種々の取付部の採用が可能である。
【００４２】
また、本実施形態では、図１（ｂ）及び図３（ｂ）に示すように、筒状ダクト１０の他側面部１４に、電源部３３が収容された部位と配線用凹溝１５とを連通させる配線孔１６を設けている。このような構成とすれば、例えば、筒状ダクト１０の長手方向他方端の開口１０ｂを介して電源コードを配線するようなものと比べて、電源コードを見栄え良く配線することができる。
この配線孔１６は、他側面部１４を厚さ方向に貫通させて設けられている。また、この配線孔１６は、後記する隔離部３４，３５よりも長手方向他方端の開口１０ｂ側に設けられている。
【００４３】
また、本実施形態では、図４に示すように、筒状ダクト１０に、吸込ユニット２０及び吹出ユニット３０に設けられた被ガイド部２４，３８が係合し、当該筒状ダクト１０に差し込まれる各ユニット２０，３０をガイドするガイド部１７を設けている。このような構成とすれば、筒状ダクト１０のガイド部１７に各ユニット２０，３０の被ガイド部２４，３８を係合させてガイドさせることができる。これにより、各ユニット２０，３０を筒状ダクト１０に容易に組み付けることができる。
また、本実施形態では、筒状ダクト１０が長尺筒状に押出成形されているので、このようなガイド部１７を全長に亘って容易かつ効率的に設けることができる。
【００４４】
また、本実施形態では、各ユニット２０，３０の被ガイド部２４，３８を、筒状ダクト１０の一側面部１１の裏面に沿うように配され、この一側面部１１の幅方向に沿う方向の両側に突出するように形成された被ガイド突片部２４，２４，３８，３８としている。また、筒状ダクト１０のガイド部１７を、各ユニット２０，３０の両側の被ガイド突片部２４，２４，３８，３８をそれぞれに受け入れるガイド凹溝１７，１７としている。このような構成とすれば、各ユニット２０，３０の両側の被ガイド突片部２４，２４，３８，３８を筒状ダクト１０のガイド凹溝１７，１７に係合させてガイドさせながら各ユニット２０，３０を筒状ダクト１０に容易に取り付けることができる。また、一側面部１１の裏面に沿わせながら各ユニット２０，３０を筒状ダクト１０に取り付けることができるので、各ユニット２０，３０を各通気口（吸込口１２及び吹出口１３）１２，１３に効果的に近接または密接させることができる。
【００４５】
これら両側のガイド凹溝１７，１７は、筒状ダクト１０の一側面部１１の裏面に沿って互いに向き合う方向に開口し、筒状ダクト１０の全長に亘って設けられている。
また、図例では、筒状ダクト１０の一側面部１１の幅方向両側の裏面と、これに隣接する各対向側面部の内側面と、これら対向側面部の内側面から互いに向き合う方向に突出された突片部と、によって各ガイド凹溝１７，１７を区画した例を示している。また、図例では、各ガイド凹溝１７，１７を区画する突片部の先端部に、一側面部１１の裏面に向けて突出する小突片部を設けた例を示している。このような構成とすれば、各突片部の変形等を抑制することができる。
【００４６】
また、本実施形態では、筒状ダクト１０に、各ユニット２０，３０を取り付けるためのユニット取付部１８，１８を設けている。本実施形態では、ユニット取付部１８，１８を、互いに平行状に設けられた一側面部１１及び他側面部１４に対してそれぞれ直交状に設けられた残余の上記対向側面部の互いに対向する内側面側のそれぞれに設けた例を示している。また、これらユニット取付部１８，１８を、止具の止着部（止具孔状部）とし、筒状ダクト１０の長手方向の全長に亘って設けている。なお、各ユニット２０，３０を筒状ダクト１０に取り付けるためのユニット取付部１８，１８としては、このような構成に限られず、その他、種々のユニット取付部の採用が可能である。
【００４７】
吸込ユニット２０は、本実施形態では、図１（ｂ）及び図５に示すように、互いに別体とされ、一体状に組み付け可能とされたフィルター部２１と第１蓋部としての吸込側蓋体２９とを備えた構成とされている。また、吸込ユニット２０は、吸込側蓋体２９を筒状ダクト１０に取り付けた状態で、これら吸込側蓋体２９及び筒状ダクト１０に対してフィルター部２１を着脱自在とした構成とされている。なお、この場合、吸込側蓋体２９を除くフィルター部２１を吸込ユニット２０として把握するようにしてもよい。
また、本実施形態では、吸込ユニット２０のフィルター部２１を、筒状ダクト１０の一側面部１１の裏面に向けて押し付けるように付勢する付勢部２４ａを設けた構成としている。このような構成とすれば、この吸込ユニット２０のフィルター部２１を、吸込口１２に効果的に近接または密接させることができる。
【００４８】
吸込側蓋体２９は、筒状ダクト１０の長手方向一方端の開口としての下端開口１０ａを覆うようにこの下端開口１０ａよりも大きく形成されて、その外周縁部に、筒状ダクト１０の長手方向一端面としての下端面に当接される鍔状部２９ａを設けた構成とされている。この吸込側蓋体２９の鍔状部２９ａに、筒状ダクト１０の取付対象側に配される他側面部１４を除く周側面部の下端周縁部を覆う突片部を設けた構成としてもよい。
また、この吸込側蓋体２９には、筒状ダクト１０に設けられたユニット取付部１８，１８に応じた被取付部が設けられている。図例では、止着部（止具孔状部）とされたユニット取付部１８，１８に整合するように設けられた止具挿通孔を被取付部として吸込側蓋体２９に設けた態様としている。この吸込側蓋体２９に設けられた止具挿通孔に挿通させた止具を、筒状ダクト１０のユニット取付部１８，１８に止着させて当該吸込側蓋体２９が（フィルター部２１とともに）筒状ダクト１０に取り付けられる構成とされている。
【００４９】
また、この吸込側蓋体２９には、フィルター部２１が抜き差しされるフィルター開口２９ｂが設けられている。このフィルター開口２９ｂは、筒状ダクト１０の長手方向と同方向とされた吸込側蓋体２９の厚さ方向に貫通して設けられている。つまり、本実施形態では、吸込ユニット２０のフィルター部２１は、筒状ダクト１０の下端側を覆う吸込側蓋体２９に対して筒状ダクト１０の長手方向に沿って抜き差しされて筒状ダクト１０に着脱自在とされている。このような構成とすれば、例えば、筒状ダクト１０の周側面部等にフィルター部２１を抜き差しするための開口部を設けたようなものと比べて、周側面部の見栄えを向上させることができる。この吸込側蓋体２９のフィルター開口２９ｂは、後記するフィルター部２１を平面視した状態における外郭形状に応じた形状とされている。
【００５０】
また、吸込側蓋体２９には、筒状ダクト１０の下端側の取付部１４ａを覆う取付覆い片部２９ｃが設けられている。この取付覆い片部２９ｃには、筒状ダクト１０の取付部１４ａに設けられた止具の挿通孔に整合するように、止具の挿通孔が設けられている。なお、この吸込側蓋体２９を、筒状ダクト１０を取付対象に取り付けた後に、筒状ダクト１０に組み付けられるものとしてもよい。この場合は、取付覆い片部２９ｃに止具の挿通孔を設けないようにしてもよい。
【００５１】
フィルター部２１は、図５及び図６（ａ）に示すように、フィルター２７，２８と、フィルター２７，２８を保持するフィルターホルダー２２と、を備えている。本実施形態では、フィルター部２１に、吸込口１２側（一側面部１１側、吸込上流側）に配されるプレフィルター２７と、このプレフィルター２７の吸込下流側に配される脱臭フィルター２８と、を設けている。つまり、本実施形態に係る送風装置１は、脱臭機能を有している。
プレフィルター２７としては、異物を捕捉するメッシュフィルター等や、これに代えて、または加えて、塵埃等の捕捉性を有した不織布等からなるシート状やプリーツ状の集塵フィルター等を採用するようにしてもよい。
【００５２】
脱臭フィルター２８としては、多数のセル状通気孔を設けたハニカム状構造とされたものとしてもよい。このような脱臭フィルター２８としては、臭気や各種ガス、オゾン等を吸着したり、分解したりするものとしてもよい。また、このような脱臭フィルター２８としては、多数のセル状通気孔を形成するハニカム状基材に、種々の触媒や吸着剤、脱臭剤を添着、担持等させたものとしてもよい。例えば、ハニカム状基材を構成する段ボール原紙やクラフト紙質等の紙材や、各種繊維材料からなる不織布等の基布に、種々の触媒や吸着剤、脱臭剤を塗布したり、混抄したり、含浸させたりして担持させたものとしてもよい。また、触媒や吸着剤、脱臭剤としては、どのようなものでもよく、例えば、活性炭やゼオライト、オゾン分解触媒等としてもよい。
【００５３】
フィルターホルダー２２は、筒状ダクト１０の一側面部１１の裏面に沿うように配される吸込側板状部２３と、この吸込側板状部２３の裏面側（吸込下流側）に設けられ、各フィルター２７，２８が嵌め込まれるように収容保持される保持部２５と、を備えている。保持部２５は、一側面部１１の厚さ方向に開口する短筒状とされ、その内周面には、各フィルター２７，２８を抜け止めする突片部等が適宜、設けられている。
吸込側板状部２３は、筒状ダクト１０の一側面部１１の厚さ方向に厚さ方向を沿わせた薄板状とされている。この吸込側板状部２３には、筒状ダクト１０に取り付けられた状態で、吸込口１２とフィルター２７，２８の保持部２５とを連通させるように、開口２３ａが設けられている。図例では、複数の桟状部によって区分された複数の開口２３ａを設けた例を示している。なお、プレフィルター２７を、これら複数の開口２３ａのそれぞれの裏面側に設けられる複数のプレフィルターとしてもよい。
当該吸込ユニット２０は、このフィルター部２１の開口２３ａ及びフィルター２７，２８を介して筒状ダクト１０の吸込口１２と送風路１９とを連通させる構成とされている。
【００５４】
また、この吸込側板状部２３の一側面部１１の幅方向に沿う方向の両側端部が、図４（ｂ）に示すように、吸込ユニット２０（フィルター部２１）の被ガイド突片部２４，２４を構成する。これら被ガイド突片部２４，２４を筒状ダクト１０の両側のガイド凹溝１７，１７に挿入させ、当該吸込ユニット２０（フィルター部２１）を筒状ダクト１０にガイドさせながら、当該吸込ユニット２０（フィルター部２１）を筒状ダクト１０に差し込むことができる。本実施形態では、上記したように、吸込側蓋体２９を筒状ダクト１０に取り付けた状態で、この吸込側蓋体２９のフィルター開口２９ｂを介してフィルター部２１を抜き差しすることができ、この際にも同様にガイドがなされる。なお、このようにフィルター部２１を筒状ダクト１０の下端側から抜き差し可能となるように、当該送風装置１の下方側にフィルター部２１の抜き差しスペースを設けるように当該送風装置１を設置するようにしてもよい。
【００５５】
また、本実施形態では、この吸込側板状部２３の両側の被ガイド突片部２４，２４に、当該吸込ユニット２０（フィルター部２１）を筒状ダクト１０の一側面部１１の裏面に向けて押し付けるように付勢する付勢部２４ａ，２４ａを設けている。これら付勢部２４ａ，２４ａは、筒状ダクト１０に差し込まれた当該フィルター部２１の意図しない脱落等を抑制するように保持する保持部としても機能する。なお、筒状ダクト１０に差し込まれた当該フィルター部２１の意図しない脱落等を抑制する保持部としては、このような付勢部２４ａ，２４ａとした態様に代えて、または加えて、例えば、フィルター部２１に係合されてフィルター部２１を保持する回動操作片等としてもよい。
【００５６】
これら被ガイド突片部２４，２４の付勢部２４ａ，２４ａは、図６（ａ）に示すように、被ガイド突片部２４，２４に切り起こし状に形成されたばね片部２４ａ，２４ａとされている。
これら両側のばね片部２４ａ，２４ａは、一側面部１１の厚さ方向に概ね沿う方向への弾性変形を伴い、筒状ダクト１０の各ガイド凹溝１７，１７に挿入される。また、これら両側のばね片部２４ａ，２４ａは、筒状ダクト１０の各ガイド凹溝１７，１７に挿入された状態で、各ガイド凹溝１７，１７の他側面部１４側を区画する突片部に弾性的に接触する。つまり、これら両側のばね片部２４ａ，２４ａの復元力は、筒状ダクト１０の各ガイド凹溝１７，１７に挿入された状態で、フィルター部２１を一側面部１１の裏面に向けて押し付ける方向に作用する。なお、図４（ｂ）では、これら両側のばね片部２４ａ，２４ａの自然状態を、二点鎖線にて示している。
【００５７】
図例では、これら両側のばね片部２４ａ，２４ａを、それぞれの自由端側が吸込側板状部２３よりも吸込下流側（他側面部１４側）に位置するように、片持ち状に各被ガイド突片部２４，２４に設けた構成としている。また、図例では、これら両側のばね片部２４ａ，２４ａの固定端側を、フィルター部２１の筒状ダクト１０（吸込側蓋体２９）への差し込み方向先側（上方側）に設けた例を示している。このような構成とすれば、フィルター部２１の両側の被ガイド突片部２４，２４を筒状ダクト１０のガイド凹溝１７，１７に挿入させる際に、両側のばね片部２４ａ，２４ａが引っ掛かるようなことを抑制することができ、スムーズに挿入させることができる。
また、フィルター部２１の両側の被ガイド突片部２４，２４に、筒状ダクト１０の長手方向に沿って複数箇所（図例では３箇所）にばね片部２４ａ，２４ａを設けた構成としている。
【００５８】
なお、吸込ユニット２０（フィルター部２１）を筒状ダクト１０の一側面部１１の裏面に向けて押し付けるように付勢する付勢部２４ａとしては、上記したような態様に限られない。例えば、フィルター部２１の両側の被ガイド突片部２４，２４自体の一部をばね片部２４ａ，２４ａとした態様に代えて、被ガイド突片部２４，２４の反一側面部側（他側面部１４側）に適宜のばね部材等を設けた態様等としてもよい。また、吸込ユニット２０（フィルター部２１）側に付勢部を設けた態様に代えて、または加えて、筒状ダクト１０の内面等に、吸込ユニット２０（フィルター部２１）を筒状ダクト１０の一側面部１１の裏面に向けて押し付けるように付勢する付勢部を設けたような態様等としてもよい。
【００５９】
また、本実施形態では、フィルターホルダー２２に、当該フィルター部２１を吸込側蓋体２９（筒状ダクト１０）から抜き取る際に把持される把持部２６を設けている。このような把持部２６を設けることで、当該フィルター部２１を吸込側蓋体２９（筒状ダクト１０）から容易に抜き取ることができる。図例では、吸込側板状部２３の反挿入方向先側となる下端部側に、吸込側蓋体２９のフィルター開口２９ｂを塞ぐ片部を設け、この片部に差し込み方向逆側（下方側）に向けて突出させるように把持部２６を設けた例を示している。
【００６０】
なお、このフィルター部２１の吸込口１２の開口方向に沿う寸法（厚さ寸法）は、本実施形態のように、吸込口１２の真裏側にフィルター２７，２８を配した構成とした場合には、これらによる圧力損失を抑制する観点等から適宜の寸法としてもよい。例えば、このフィルター部２１の厚さ寸法を、筒状ダクト１０の送風路１９の吸込口１２の開口方向に沿う寸法の２／３以下程度としてもよく、好ましくは、１／２以下程度としてもよい。図例では、フィルター部２１の厚さ寸法を、筒状ダクト１０の送風路１９の吸込口１２の開口方向に沿う寸法の１／３程度とした例を示している。なお、このような態様に代えて、吸込ユニット２０に、吸込口１２から吸い込んだ空気を吹出口１３側に向けてガイドするガイド送風路を設けた構成とし、その下流側にフィルター２７，２８を設けたような構成等としてもよい。
【００６１】
また、本実施形態では、筒状ダクト１０に取り付けられた吸込側蓋体２９に対してフィルター部２１を抜き差し可能とした例を示しているが、このような態様に限られない。例えば、フィルター部２１と吸込側蓋体２９とを一体とした吸込ユニット２０とし、この吸込ユニット２０を、筒状ダクト１０に対して着脱自在に組み付け可能とした構成としてもよい。このような構成とすれば、第１蓋部としての吸込側蓋体２９とこの蓋部側の通気ユニットとしての吸込ユニット２０とを、筒状ダクト１０に容易に組み付けることができる。その他、吸込ユニット２０の具体的構成としては、上記した例に限られず、種々の構成の採用が可能である。
【００６２】
吹出ユニット３０は、本実施形態では、第２蓋部３９と一体状とされて筒状ダクト１０に取り付けられる構成とされている。また、第２蓋部３９に、筒状ダクト１０の長手方向他端面に当接される鍔状部３９ａを設けている。このような構成とすれば、第２蓋部３９とこの蓋部側の通気ユニットとしての吹出ユニット３０とを、筒状ダクト１０に容易に組み付けることができる。
本実施形態では、この吹出ユニット３０を、図１（ｂ）及び図５に示すように、互いに別体とされ、一体状に組み付け可能とされたユニット本体部と第２蓋部としての吹出側蓋体３９とを備えた構成としている。
【００６３】
吹出側蓋体３９は、上記した吸込側蓋体２９を概ね上下反転させたような構成とされている。この吹出側蓋体３９は、筒状ダクト１０の長手方向他方端の開口としての上端開口１０ｂを覆うようにこの上端開口１０ｂよりも大きく形成されて、その外周縁部に、筒状ダクト１０の長手方向他端面としての上端面に当接される鍔状部３９ａを設けた構成とされている。この吹出側蓋体３９の鍔状部３９ａに、筒状ダクト１０の取付対象側に配される他側面部１４を除く周側面部の上端周縁部を覆う突片部を設けた構成としてもよい。
また、この吹出側蓋体３９には、筒状ダクト１０に設けられたユニット取付部１８，１８に応じた被取付部が設けられている。図例では、止着部（止具孔状部）とされたユニット取付部１８，１８に整合するように設けられた止具挿通孔を被取付部として吹出側蓋体３９に設けた態様としている。この吹出側蓋体３９に設けられた止具挿通孔に挿通させた止具を、筒状ダクト１０のユニット取付部１８，１８に止着させて当該吹出側蓋体３９が（ユニット本体部とともに）筒状ダクト１０に取り付けられる構成とされている。
【００６４】
また、この吹出側蓋体３９には、上記したフィルター開口２９ｂに代えて、ユニット本体部が固定される固定部３９ｂが設けられている。この固定部３９ｂには、後記するユニット本体部の吹出側板状部３７の固定片部３７ｂが当接され、ねじ等の止具によってユニット本体部が締結、固定される（図３、図５及び図６（ｂ）参照）。
また、吹出側蓋体３９には、筒状ダクト１０の上端側の取付部１４ｂを覆う取付覆い片部３９ｃが設けられている。この取付覆い片部３９ｃには、筒状ダクト１０の取付部１４ｂに設けられた止具の挿通孔に整合するように、止具の挿通孔が設けられている。なお、上記同様、この吹出側蓋体３９を、筒状ダクト１０を取付対象に取り付けた後に、筒状ダクト１０に組み付けられるものとしてもよい。この場合は、取付覆い片部３９ｃに止具の挿通孔を設けないようにしてもよい。
【００６５】
また、吹出ユニット３０（ユニット本体部）は、送風器３１と、除菌・消臭作用を有するイオンを放出するイオン発生部３２と、を備えている。つまり、本実施形態に係る送風装置１は、除菌機能を有している。また、吹出ユニット３０（ユニット本体部）は、これら送風器３１及びイオン発生部３２を収容する機器ケース３４と、これら送風器３１及びイオン発生部３２に駆動電源を供給する電源部３３と、を備えている。また、吹出ユニット３０（ユニット本体部）は、筒状ダクト１０の一側面部１１の裏面に沿うように配され、電源部３３及び機器ケース３４に固定される吹出側板状部３７を備えている。
【００６６】
本実施形態では、この吹出ユニット３０に、電源部３３を吹出口１３及びこの吹出口１３に向かう送風路１９から隔離する隔離部３４，３５を設けている。また、この隔離部３４，３５を、筒状ダクト１０の内周面に圧縮変形を伴い当接するように配される軟質発泡体３５を含んだものとしている。このような構成とすれば、送風器３１と電源部３３とを接続するコードの配線による隙間や、後記するように、機器ケース３４の外周と筒状ダクト１０の内周との間に形成される隙間を、軟質発泡体３５によって効果的に塞ぐことができる。これにより、吹出口１３に向かう気流を、長手方向他方端側（上端側）により分散させ難くすることができ、送風効率をより向上させることができる。
【００６７】
送風器３１は、本実施形態では、図１（ｂ）、図４（ａ）及び図６（ｂ）に示すように、その吹出部の吹出方向が吸込口１２と吹出口１３との並設方向（図例では上下方向）に沿う方向となるように送風路１９内に設けられている。また、本実施形態では、送風器３１を、送風路１９内における吸込口１２と吹出口１３との間に位置するように設けている。図例では、送風器３１を、送風路１９を空気流通方向（上下方向）に区分するように筒状ダクト１０内における吹出口１３の吸込口１２側に隣接させて設けた例を示している。
この送風器３１は、その吸込部を、当該送風器３１によって区分された送風路１９の吸込口１２側に向け、その吹出部を、当該送風器３１によって区分された送風路１９の吹出口１３側に向けて配設されている。
【００６８】
このような送風器３１としては、軸方向を筒状ダクト１０の長手方向（上下方向）に沿わせた軸流ファンとしてもよい。なお、送風器３１としては、軸流ファンに限られず、シロッコファンやクロスフローファン等としてもよく、この場合には、適宜、配設位置等を変形するようにしてもよい。また、図例では、単一の送風器３１を配設した例を示しているが、複数の送風器３１を配設するようにしてもよい。例えば、吸込ユニット２０側にも送風器を設けたような態様としてもよい。
【００６９】
機器ケース３４は、図１（ｂ）及び図６（ｂ）に示すように、筒状ダクト１０の一側面部１１側及び筒状ダクト１０の長手方向一方端側（下端側）に向けて開口した略箱形状とされている。
この機器ケース３４の吸込口１２側の端部には、送風器３１を収容する収容部が設けられている。また、この送風器３１の収容部の吹出側（下流側）に、送風器３１の吹出部と筒状ダクト１０の吹出口１３とを連通させ、送風器３１から吹出された気流を吹出口１３側に向けて変更するようにガイドするガイド送風路３４ａを設けている。このガイド送風路３４ａには、筒状ダクト１０の他側面部１４の裏面に沿うように設けられた奥側壁部と吹出口１３の反吸込口側（図示上側）縁部とを接続するように凹湾曲面形状とされたガイド面部を構成するガイド壁部３４ｂが設けられている。このガイド壁部３４ｂは、一側面部１１の幅方向に沿う方向に見て、吹出口１３の吸込口側（図示下側）縁部近傍を円心とした略円弧状に形成されている。
【００７０】
また、本実施形態では、このガイド送風路３４ａに、このガイド送風路３４ａを複数に区画し、送風器３１から吹出された気流を吹出口１３側に向けて変更するようにガイドするガイド壁部３４ｃ，３４ｃを設けている。図例では、複数のガイド壁部３４ｃ，３４ｃを設けた例を示している。これらガイド壁部３４ｃ，３４ｃは、上記同様、一側面部１１の幅方向に沿う方向に見て、吹出口１３の吸込口側縁部近傍を円心とした略円弧状に形成されている。
このようなガイド壁部３４ｂ（及びガイド壁部３４ｃ，３４ｃ）を設けた構成とすれば、送風器３１の吹出部から吹き出された空気をスムーズに吹出口１３に向けてガイドすることができる。これにより、筒状ダクト１０の送風路１９内における送風器３１の吹出側の圧力損失を低減することができ、送風効率を向上させることができる。
【００７１】
また、機器ケース３４のガイド送風路３４ａの反吸込口側（筒状ダクト１０の長手方向他方端側（上端側））に、イオン発生部３２を収容する機器収容空間３４ｄを設けている。この機器収容空間３４ｄは、機器ケース３４の一側面部１１の幅方向に沿う方向の両側の壁部、反吸込口側壁部、他側面部１４側の奥側壁部及びガイド壁部３４ｂによって区画され、一側面部１１の裏面に向けて開口している。
なお、図６（ｂ）において、符号３６は、機器収容空間３４ｄの開口側を覆うように配される絶縁シートである。
また、この機器収容空間３４ｄ等に、送風器３１やイオン発生部３２を制御する各種回路等を内蔵した制御部を設けるようにしてもよい。
【００７２】
イオン発生部３２は、図１（ｂ）に示すように、そのイオン吹出部が、送風器３１の吹出部と概ね対向するように設けられている。本実施形態では、このイオン発生部３２のイオン吹出部を、ガイド面部を構成するガイド壁部３４ｂにおいて開口させるように設けている。ガイド壁部３４ｂには、このイオン吹出部をガイド送風路３４ａにおいて開口させるように開口が設けられている（図６（ｂ）も参照）。
また、このイオン発生部３２は、本実施形態では、除菌・消臭作用を有する帯電微粒子水を放出する静電霧化装置３２とされている。
この静電霧化装置３２は、詳細な図示は省略しているが、水粒子放出部とこれに対向する対向電極との間に高電圧を印加することで水粒子放出部の水分を霧化し、ナノメートルサイズの帯電微粒子水をイオン吹出部から放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。
なお、イオン発生部３２としては、このような静電霧化装置に限られず、除菌・消臭作用を有するイオンを放出するイオン発生器や、マイナスイオンを放出するマイナスイオン発生器等を採用するようにしてもよい。
【００７３】
また、本実施形態では、機器ケース３４の反吸込口側端部の外周に沿って隔離部を構成する軟質発泡体３５を設けている。本実施形態では、筒状ダクト１０の一側面部１１の裏面に沿って配される吹出側板状部３７側となる開口側を除く機器ケース３４の外周に沿って軟質発泡体３５を設けた構成としている。つまり、この軟質発泡体３５は、図４（ａ）に示すように、機器ケース３４の開口側を除く外周と、筒状ダクト１０の他側面部１４及びこれに隣接する両側の対向側面部の内面と、の間に形成される隙間を塞ぐように機器ケース３４の外周に設けられている（図６（ｂ）も参照）。
このような構成により、機器ケース３４と軟質発泡体３５とによって、吹出口１３及びこの吹出口１３に向かう送風路１９（ガイド送風路３４ａ）から電源部３３を隔離する構成としている。
【００７４】
この軟質発泡体３５としては、適度に圧縮変形し得るものであればよく、例えば、軟質ウレタンフォームやポリエチレンフォーム、ゴムスポンジ等の発泡材料で製されたものとしてもよい。
なお、この軟質発泡体３５を、機器ケース３４の他の部位の外周に沿って設けたり、筒状ダクト１０の長手方向に間隔を空けて、機器ケース３４の複数箇所の外周に設けたりしてもよい。また、この軟質発泡体３５を、吹出ユニット３０（ユニット本体部）を筒状ダクト１０の一側面部１１の裏面に向けて押し付けるように付勢する付勢部として把握するようにしてもよい。
さらには、このような軟質発泡体３５を設けずに、例えば、機器ケース３４の外郭形状を、筒状ダクト１０の内周形状に応じた形状とし、この機器ケース３４を、隔離部として把握するようにしてもよい。
【００７５】
電源部３３は、機器ケース３４の反吸込口側壁部の上端開口１０ｂ側に隣接して設けられている。
この電源部３３としては、送風器３１のモーター等の駆動部や、イオン発生部３２に、商用電源を整流等して給電する電源ユニットとしてもよい。この電源部３３と送風器３１及びイオン発生部３２とは、図示を省略しているが、適宜のコードを介して接続されている。また、この電源部３３には、上記した筒状ダクト１０の他側面部１４に設けられた配線孔１６を介して、商用電源からの電源コードが接続される。
【００７６】
吹出側板状部３７は、筒状ダクト１０の一側面部１１の厚さ方向に厚さ方向を沿わせた薄板状とされており、機器ケース３４の開口側を覆うように配される。また、この吹出側板状部３７の筒状ダクト１０の長手方向に沿う寸法は、電源部３３及び機器ケース３４の固定が可能なように、これらの筒状ダクト１０の長手方向に沿う寸法を足し合わせた寸法に応じた寸法とされている。
この吹出側板状部３７には、図１（ｂ）及び図６（ｂ）に示すように、筒状ダクト１０に取り付けられた状態で、吸込口１３と機器ケース３４のガイド送風路３４ａとを連通させるように、開口３７ａが設けられている。当該吹出ユニット３０は、この吹出側板状部３７の開口３７ａ及び機器ケース３４（ガイド送風路３４ａ）を介して筒状ダクト１０の送風路１９と吹出口１３とを連通させる構成とされている。
また、この吹出側板状部３７の一側面部１１の幅方向に沿う方向の両側端部が、図４（ａ）に示すように、吹出ユニット３０の被ガイド突片部３８，３８を構成する。これら被ガイド突片部３８，３８を筒状ダクト１０の両側のガイド凹溝１７，１７に挿入させ、当該吹出ユニット３０を筒状ダクト１０にガイドさせながら、当該吹出ユニット３０を筒状ダクト１０に差し込むことができる。
【００７７】
また、吹出側板状部３７には、電源部３３及び機器ケース３４に設けられた止具の止着部に整合する止具の挿通孔が設けられている。この吹出側板状部３７の挿通孔を介して電源部３３及び機器ケース３４に止着された止具によって電源部３３及び機器ケース３４が吹出側板状部３７に固定され、ユニット本体部が組み付けられる。
また、この吹出側板状部３７の反吸込口側端部（上端開口１０ｂ側端部）には、吹出側蓋体３９の固定部３９ｂに固定される固定片部３７ｂが設けられている。この固定片部３７ｂは、一側面部１１に沿わせられる吹出側板状部３７の反吸込口側端部から他側面部１４側に向けて突出するように形成されている。この固定片部３７ｂには、吹出側蓋体３９の固定部３９ｂに設けられた止具の挿通孔に整合する止着部が設けられている。
【００７８】
なお、この吹出側板状部３７の両側の被ガイド突片部３８，３８に、上記した軟質発泡体３５に代えて、または加えて、吹出ユニット３０（ユニット本体部）を筒状ダクト１０の一側面部１１の裏面に向けて押し付けるように付勢する上記同様の付勢部を設けるようにしてもよい。また、このような態様に代えて、または加えて、筒状ダクト１０の内面等に、吹出ユニット３０（ユニット本体部）を筒状ダクト１０の一側面部１１の裏面に向けて押し付けるように付勢する付勢部を設けたような態様等としてもよい。その他、吹出ユニット３０の具体的構成としては、上記した例に限られず、種々の構成の採用が可能である。
【００７９】
また、この吹出ユニット３０に設けられた送風器３１等の作動状態を示す表示部等を設けるようにしてもよい。例えば、筒状ダクト１０の一側面部１１の一部に、透光窓部を設け、この透光窓部の裏面側に、作動状態に応じて点灯する発光部等を表示部として設けたような態様等としてもよい。この場合は、この発光部を、上記した機器収容空間３４ｄに収容させ、吹出側板状部３７に、透光窓部に応じた開口を設けるようにしてもよい。
また、筒状ダクト１０の適所や他の部位（例えば、収納空間２の内面や他の壁面）等に、送風器３１やイオン発生部３２をＯＮ／ＯＦＦ操作する操作部を設けるようにしてもよい。また、これら送風器３１及びイオン発生部３２は、個別にＯＮ／ＯＦＦ操作が可能とされたものとしてもよく、または、同期してＯＮ／ＯＦＦされるものとしてもよい。また、当該送風装置１の吸込側の適所等に、臭いセンサーや埃センサー等の検出部を設け、該検出部の検出に基づいて送風器３１やイオン発生部３２のＯＮ／ＯＦＦ制御がなされるものとしてもよい。また、操作部にタイマー等を設け、送風器３１やイオン発生部３２をタイマー駆動可能とする態様としてもよい。
【００８０】
上記構成とされた送風装置１においては、送風器３１及びイオン発生部３２を起動させれば、吸込口１２から吸い込んだ空気が、吸込ユニット２０のフィルター部２１を通過し、集塵、脱臭等される。また、このフィルター部２１を経た空気は、筒状ダクト１０の送風路１９を吹出口１３側に向けて送風され、イオン発生部３２から放出されたイオンとともに、吹出口１３から設置スペース（収納空間２）に向けて吹出される。
【００８１】
なお、本実施形態に係る送風装置１が組み込まれる収納構造の収納空間２の区画態様としては、上記したような態様に限られず、種々の区画態様とされたものとしてもよい。
また、収納空間２を区画する仕切板としては、棚板７のような横仕切板に代えて、収納空間２を左右に区画する厚さ方向を左右方向に沿わせた縦仕切板等としてもよい。
また、送風装置１の設置態様としては、上記した態様に限られず、例えば、後記する実施形態のように、収納空間２の内面としての天面４や底面４Ａに沿わせて設置した態様等としてもよい。つまり、送風装置１を、長手方向を左右方向に沿わせて設けた態様等としてもよい。また、送風装置１を、埋め込み状に設けた態様等としてもよい。
【００８２】
また、本実施形態では、送風装置１（筒状ダクト１０）の長手方向一方端側に吸込口１２を設けた構成としているが、長手方向一方端側に吹出口１３を設けた構成としてもよい。つまりは、吹出口１３が設けられた側を、送風装置１（筒状ダクト１０）の長手方向一方端側として把握するようにしてもよい。
また、本実施形態では、筒状ダクト１０に、配線用凹溝１５及び配線孔１６を設けた例を示しているが、これらの両方または一方を設けないようにしてもよい。また、筒状ダクト１０のガイド部１７及び各ユニット２０，３０の被ガイド部２４，３８としては、上記した態様に限られず、種々の構成の採用が可能である。さらには、このようなガイド部１７及び被ガイド部２４，３８を、筒状ダクト１０及び各ユニット２０，３０に設けないようにしてもよい。
また、本実施形態では、両ユニット２０，３０の両方または一方の通気ユニットの少なくとも一部を、筒状ダクト１０の一側面部１１の裏面に向けて押し付けるように付勢する付勢部２４ａ，２４ａを設けた例を示しているが、このような付勢部を設けないようにしてもよい。
【００８３】
また、本実施形態では、フィルター部２１を設けた吸込ユニット２０と送風器３１を設けた吹出ユニット３０とを、筒状ダクト１０の長手方向のそれぞれの開口１０ａ，１０ｂから差し込み、取り付け可能とした例を示しているが、このような態様に限られない。例えば、これらのうちの一方または両方を、ユニット化されたものとせずに、個別に筒状ダクト１０に取り付けられるものとしてもよい。さらには、吸込口１２及び吹出口１３の一方または両方の通気口を、筒状ダクト１０に設けずに、該通気口が設けられたユニットを、筒状ダクトの端部に接続して組み付ける態様とされたものとしてもよい。その他、本実施形態に係る収納構造に用いられる送風装置１としては、種々の構成とされた送風装置を採用するようにしてもよい。
【００８４】
また、本実施形態では、筒状ダクト１０を、押出成形されたものとした例を示しているが、射出成形や鋳造成形等によって上記形状とされたものとしてもよい。さらには、このように成形されたものに限られず、複数部材を溶接等によって接合して上記形状とされたものとしてもよい。
また、本実施形態では、筒状ダクト１０内に隔離部３４，３５を設け、筒状ダクト１０内における隔離部３４，３５よりも他方端側（上端側）に、送風器３１に接続される電源部３３を設けた構成としているが、このような態様に限られない。例えば、このような隔離部３４，３５を設けないようにしてもよく、さらには、電源部３３を、筒状ダクト１０の途中部位等に設けるようにしてもよい。
【００８５】
また、本実施形態では、脱臭性を有した脱臭フィルター２８と、除菌・消臭作用を有するイオンを放出するイオン発生部３２と、を送風装置１に脱臭機能部材として設けた例を示しているが、このような態様に限られない。例えば、これら脱臭フィルター２８及びイオン発生部３２のうちのいずれか一方のみを設けるようにしてもよい。また、このように、送風装置１に脱臭機能部材を設け、送風装置１を脱臭装置１とした態様に限られない。例えば、送風装置１にヒーター等の温風機能部材を設け、送風装置１を乾燥装置１としたり、送風装置１に除湿器や除湿材などの除湿機能部材を設け、送風装置１を除湿装置１としたりしてもよい。また、送風装置１に、これら脱臭機能部材、温風機能部材、除湿機能部材のうちの２つ以上を組み合わせて設け、送風装置１を、多機能送風装置１としてもよい。
【００８６】
次に、本発明に係る他の実施の形態について、図面を参照しながら説明する。
図７は、第２実施形態に係る収納構造の一例を模式的に示す図である。
なお、上記第１実施形態との相違点について主に説明し、同様の構成については、同一符号を付し、その説明を省略または簡略に説明する。
【００８７】
本実施形態に係る収納構造は、送風装置１を、長手方向を収納間口方向（左右方向）に沿わせて収納空間２Ａの底面４Ａに沿わせるように設けた構造とされている。このような構成とすれば、収納空間２Ａ内の空気を左右に撹拌させるように効果的に循環させることができる。これにより、上述のように送風装置１を、脱臭機能や除菌機能を有したものとすれば、収納空間２Ａの前方開口側領域３の特に下方側領域において滞留する空気を循環させることができ、効果的に脱臭・除菌することができる。
つまり、本実施形態では、長尺筒状とされた送風装置１を、長手方向を左右方向に沿わせて収納空間２Ａの底側を区画する底面４Ａに沿わせるように設けた構造としている。また、収納空間２Ａの奥行方向に直交する方向となる上方（天面４）に向けて送風装置１の吸込口１２及び吹出口１３を開口させた構造としている。
【００８８】
これら吸込口１２及び吹出口１３は、互いに左右に離間して設けられ、一方が収納空間２Ａの左右方向一方側において開口するように、他方が収納空間２Ａの左右方向他方側において開口するように設けられている。これら吸込口１２及び吹出口１３を、収納空間２Ａの各内側面４Ｂ，４Ｂのそれぞれから左右方向における四半程度の領域内において開口するように設けるようにしてもよい。
また、本実施形態では、送風装置１の吹出口１３を、当該吹出口１３から吹出された空気が収納空間２Ａの吹出口側の内側面（図示左方側の内側面）４Ｂに直接的に吹き付けられないように、この吹出口側の内側面４Ｂとの間に所定の空間を隔てて一端側に設けている。このような構成とすれば、上記第１実施形態と概ね同様、吹出口１３から吹出された空気が収納空間２Ａ内の吹出口側の内側面４Ｂに直接的に吹き付けられるようなことを抑制することができる。これにより、吹出口１３から吹出された空気を収納空間２Ａ内に効果的に拡散させ、循環させることができる。
また、本実施形態では、送風装置１の長さ寸法を、収納間口（左右）寸法に概ね応じた寸法としている。
【００８９】
また、本実施形態では、送風装置１を、収納空間２Ａの底面４Ａ側に埋め込み状に設けた構成としている。このような構成とすれば、送風装置１を目立ち難くすることができる。図例では、送風装置１を、収納空間２Ａの底面４Ａに沿わせ、この送風装置１と奥側面５との間を埋めるようにスペーサー状部材４０を設け、送風装置１の前方開口側の側面部に沿わせて幕板状の化粧パネル４１を設けた構成としている。つまり、図例では、送風装置１の埋込部を、スペーサー状部材４０及び化粧パネル４１によって形成した例を示している。これらスペーサー状部材４０及び化粧パネル４１は、これらの上面が送風装置１の上面（一側面部１１の表面）と略同一平面状となるように設けられている。このような構成により、送風装置１の一側面部１１の表面、並びにスペーサー状部材４０及び化粧パネル４１の上面が収納空間２Ａの実質的な底面を構成することとなる。なお、このような態様に代えて、送風装置１の埋込部を、掘り込み状に設けるようにしてもよい。
【００９０】
また、本実施形態では、収納空間２Ａを上下に区画する仕切板としての棚板７を、収納空間２Ａの左右を区画する左右の内側面４Ｂ，４Ｂとの間に空気流通空間を形成するように設けた構造としている。つまり、本実施形態では、前方開口側領域３に加え、収納空間２Ａの左右両側のそれぞれに、空気の流通を可能とする両側領域を設けた構造としている。このような構成とすれば、送風装置１を上記のように設けたことと相俟って、収納空間２Ａ内の空気を、これら両側領域を通じてより効果的に撹拌させるように循環させることができる。また、棚板７間にも両側領域を通じて空気を拡散させ易くすることができる。
図例では、収納空間２Ａの左右両側のそれぞれに、複数枚の棚板７を上下に間隔を空けて設けた例を示している。また、収納空間２Ａの左右両側空間のそれぞれを、複数枚の棚板７によって比較的に上下に細かく区画された小分けスペースとした例を示している。また、これら左右の各棚板７，７の左右方向両端部を、上記同様の柱状部材６，６，６によって支持させた態様としている。
【００９１】
なお、上記のような態様に代えて、収納空間２Ａに、上記同様の衣類収納スペースや長尺物品収納スペースを設けるようにしてもよく、収納空間２Ａの区画態様としては、その他、種々の区画態様としてもよい。
また、本実施形態のように、送風装置１を埋め込み状に設けた場合には、設置した状態で、フィルター部２１の着脱が可能となるように送風装置１を設置するようにしてもよい。つまり、送風装置１のフィルター部２１の抜き差し側に、フィルター部２１の抜き差しスペースが形成されるように送風装置１を設置するようにしてもよい。または、一側面部１１側からフィルター部２１の着脱を可能とした態様等としてもよい。
【００９２】
次に、本発明に係る更に他の実施の形態について、図面を参照しながら説明する。
図８は、第３実施形態に係る収納構造の一例を模式的に示す図である。
なお、上記第２実施形態との相違点について主に説明し、同様の構成については、同一符号を付し、その説明を省略または簡略に説明する。
【００９３】
本実施形態に係る収納構造は、送風装置１を、長手方向を収納間口方向（左右方向）に沿わせて収納空間２Ａの天面４に沿わせるように設けた構造とされている。このような構成とすれば、上記第２実施形態と概ね同様、収納空間２Ａ内の空気を左右に撹拌させるように効果的に循環させることができる。これにより、上述のように送風装置１を、脱臭機能や除菌機能を有したものとすれば、収納空間２Ａの前方開口側領域３の特に上方側領域において滞留する空気を循環させることができ、効果的に脱臭・除菌することができる。
つまり、本実施形態では、長尺筒状とされた送風装置１を、長手方向を左右方向に沿わせて収納空間２Ａの天側を区画する天面４に沿わせるように設けた構造としている。また、収納空間２Ａの奥行方向に直交する方向となる下方（底面４Ａ）に向けて送風装置１の吸込口１２及び吹出口１３を開口させた構造としている。
【００９４】
また、本実施形態では、送風装置１を、上記第２実施形態と概ね同様、収納空間２Ａの天面４側に埋め込み状に設けた構成としている。また、送風装置１を、収納空間２Ａの天面４に沿わせ、この送風装置１と奥側面５との間を埋めるようにスペーサー状部材４０Ａを設け、送風装置１の前方開口側の側面部に沿わせて幕板状の化粧パネル４１Ａを設けた構成としている。これらスペーサー状部材４０Ａ及び化粧パネル４１Ａは、上記第２実施形態と概ね同様、これらの下面が送風装置１の下面（一側面部１１の表面）と略同一平面状となるように設けられている。このような構成により、送風装置１の一側面部１１の表面、並びにスペーサー状部材４０Ａ及び化粧パネル４１Ａの下面が収納空間２Ａの実質的な天面を構成することとなる。
【００９５】
なお、上記第２実施形態及び第３実施形態では、送風装置１を、埋め込み状に設けた例を示しているが、収納空間２Ａの天面４や底面４Ａに沿わせて付設状に設けるようにしてもよい。
また、上記第２実施形態及び第３実施形態では、前方開口側領域３に加え、収納空間２Ａの左右両側のそれぞれに、空気の流通を可能とする両側領域を設けた構造とした例を示しているが、これら両側領域の両方または一方を設けないようにしてもよい。
また、上記各実施形態では、収納空間２，２Ａ内を送風する単一の送風装置１を設けた構造とした例を示しているが、収納空間２，２Ａ内を送風する複数の送風装置１を設けた構造としてもよい。
【符号の説明】
【００９６】
１        送風装置
２，２Ａ  収納空間
３        前方開口側領域（空気流通空間）
４        天面（内面）
４Ａ      底面（内面）
４Ｂ      内側面（内面）
７        棚板（仕切板）
８        吊下部材
９        開き戸（戸体）
１２      吸込口
１３      吹出口
【図１】
2015085164.tif 000003
【図２】
2015085164.tif 000004
【図３】
2015085164.tif 000005
【図４】
2015085164.tif 000006
【図５】
2015085164.tif 000007
【図６】
2015085164.tif 000008
【図７】
2015085164.tif 000009
【図８】
2015085164.tif 000010